(57)【要約】【課題】  受信端末の小売りが開始された場合の管理を容易に行うことが可能なケーブルテレビ管理システム、中央管理装置、ケーブルテレビ局装置及びケーブルテレビ受信端末の提供。【解決手段】  ケーブルテレビ管理システムＳは、局装置８，１１，１４とＳＴＢ１７，２０，２３と中央管理装置１とを具備する。中央管理装置１の局情報／ＳＴＢ情報管理部２が、局ＩＤ及びＳＴＢ−ＩＤを登録すると共に、ケーブルテレビ局が変更になった場合、ＳＴＢに対応して以前に登録してある局ＩＤを新たな局ＩＤに変更登録する。局装置８，１１，１４が、中央管理装置１から送信された局情報とＳＴＢ情報を受信すると共に、受信した局情報とＳＴＢ情報をＳＴＢに送信する。ＳＴＢ１７，２０，２３が、局装置から送信された局情報とＳＴＢ情報を受信すると共に、局ＩＤを登録する。【選択図】        図１
2006114944.tif 000002
【特許請求の範囲】
【請求項１】
ケーブルテレビ局装置と、ケーブルテレビ局に加入したケーブルテレビ加入者の受信端末と、前記ケーブルテレビ局のケーブルテレビ局情報及び前記受信端末の受信端末情報を管理する中央管理装置とを具備したケーブルテレビ管理システムであって、
前記中央管理装置は、前記ケーブルテレビ局を識別する固有のケーブルテレビ局ＩＤを登録すると共に、前記ケーブルテレビ局装置に登録されている受信端末を識別する固有の受信端末ＩＤを登録する機能と、前記受信端末の加入した前記ケーブルテレビ局が変更になった場合、前記受信端末に対応して以前に登録してあるケーブルテレビ局ＩＤを新たなケーブルテレビ局のケーブルテレビ局ＩＤに変更登録する機能とを備えたケーブルテレビ局情報／受信端末情報管理部を有しており、前記ケーブルテレビ局装置は、前記中央管理装置から送信されたケーブルテレビ局情報と受信端末情報を受信すると共に、受信したケーブルテレビ局情報と受信端末情報を前記受信端末に送信する機能を備えており、前記受信端末は、前記ケーブルテレビ局装置から送信されたケーブルテレビ局情報と受信端末情報を受信すると共に、前記ケーブルテレビ局を識別する固有のケーブルテレビ局ＩＤを登録する機能を備えたことを特徴とするケーブルテレビ管理システム。
【請求項２】
ケーブルテレビ局のケーブルテレビ局情報及び前記ケーブルテレビ局に加入したケーブルテレビ加入者の受信端末の受信端末情報を管理する機能と、ケーブルテレビ局情報をケーブルテレビ局装置に送信するケーブルテレビ局情報送信手段と、受信端末情報を前記ケーブルテレビ局装置に送信する受信端末情報送信手段とを備えたケーブルテレビ局情報／受信端末情報管理部を有することを特徴とする中央管理装置。
【請求項３】
中央管理装置から送信されたケーブルテレビ局のケーブルテレビ局情報を受信するケーブルテレビ局情報受信手段を具備し、前記中央管理装置から送信されたケーブルテレビ加入者の受信端末の受信端末情報を受信すると共に、受信したケーブルテレビ局情報と受信端末情報を管理情報として前記受信端末に送信する機能を備えたことを特徴とするケーブルテレビ局装置。
【請求項４】
ケーブルテレビ局装置から送信されたケーブルテレビ局情報及び受信端末情報を管理情報として受信する管理情報受信手段を具備し、ケーブルテレビ局を識別する固有のケーブルテレビ局ＩＤを登録する機能と、加入している前記ケーブルテレビ局が変更になった場合、前記ケーブルテレビ局装置から送信された新たなケーブルテレビ局ＩＤを変更登録する機能とを備えたことを特徴とするケーブルテレビ受信端末。
【請求項５】
ケーブルテレビ局装置と、ケーブルテレビ局に加入したケーブルテレビ加入者の受信端末と、前記ケーブルテレビ局のケーブルテレビ局情報を管理する中央管理装置とを具備したケーブルテレビ管理システムであって、
前記中央管理装置は、ケーブルテレビ局情報を前記ケーブルテレビ局装置に送信すると共に、前記ケーブルテレビ局装置から送信された受信端末情報を受信する機能と、前記ケーブルテレビ局を識別する固有のケーブルテレビ局ＩＤを登録する機能と、前記受信端末の加入した前記ケーブルテレビ局が変更になった場合、前記受信端末に対応して以前に登録してあるケーブルテレビ局ＩＤを新たなケーブルテレビ局のケーブルテレビ局ＩＤに変更登録する機能とを備えたケーブルテレビ局情報管理部を有しており、前記ケーブルテレビ局装置は、受信端末情報を管理する機能と、前記中央管理装置から送信されたケーブルテレビ局情報を受信すると共に、受信したケーブルテレビ局情報を前記受信端末に送信する機能と、前記ケーブルテレビ局装置に登録されている受信端末を識別する固有の受信端末ＩＤを登録する機能とを備えた受信端末情報管理部を有しており、前記受信端末は、前記ケーブルテレビ局装置から送信されたケーブルテレビ局情報と受信端末情報を受信すると共に、前記ケーブルテレビ局を識別する固有のケーブルテレビ局ＩＤを登録する機能を備えたことを特徴とするケーブルテレビ管理システム。
【請求項６】
ケーブルテレビ局のケーブルテレビ局情報を管理する機能と、ケーブルテレビ局情報をケーブルテレビ局装置に送信するケーブルテレビ局情報送信手段と、前記ケーブルテレビ局装置から送信されたケーブルテレビ加入者の受信端末の受信端末情報を受信する受信端末情報受信手段とを備えたケーブルテレビ局情報管理部を有することを特徴とする中央管理装置。
【請求項７】
ケーブルテレビ局に加入したケーブルテレビ加入者の受信端末の受信端末情報を管理する機能と、中央管理装置から送信された前記ケーブルテレビ局のケーブルテレビ局情報を受信すると共に、受信したケーブルテレビ局情報を前記受信端末に送信し、前記受信端末から送信された管理情報を受信すると共に、受信した管理情報を前記中央管理装置に送信するケーブルテレビ局情報／受信端末情報送受信手段を備えた受信端末情報管理部を有することを特徴とするケーブルテレビ局装置。
【発明の詳細な説明】
【技術分野】
【０００１】
本発明は、セットトップボックス（Ｓｅｔ  Ｔｏｐ  Ｂｏｘ：以下、ＳＴＢと称する）等のケーブルテレビ受信端末（ＱＡＭ（Ｑｕａｄｒａｔｕｒｅ  Ａｍｐｌｉｔｕｄｅ  Ｍｏｄｕｌａｔｉｏｎ）内蔵ＴＶも含む）において、ケーブルテレビ局固有のＩＤや、各ケーブルテレビ局に登録されているＳＴＢ固有のＩＤ等の情報を使うことで、各ケーブルテレビ局のサービスと上記ＳＴＢを管理するケーブルテレビ管理システム、中央管理装置、ケーブルテレビ局装置及びケーブルテレビ受信端末に関するものである。
【背景技術】
【０００２】
現在のケーブルテレビのシステムでは、ケーブルテレビ加入者が加入すべきケーブルテレビ局に登録手続き等を行い、ＳＴＢ等の受信端末をレンタルし、然るべき工事が行われた後、ケーブルテレビが視聴可能となり、ケーブルテレビ局での受信端末の管理が行われる。
【０００３】
また、契約解除時（例えば、引越し時）は、レンタルした受信端末をケーブルテレビ局に返却し、受信端末の管理を外れる仕組みとなっている。
【０００４】
また、特に各ケーブルテレビ局を管理する管理団体もなく、夫々のケーブルテレビ局に登録されているＳＴＢ（受信端末）の管理は、各ケーブルテレビ局で行っているのが現状である。
【発明の開示】
【発明が解決しようとする課題】
【０００５】
ところが、現状のケーブルテレビのシステムにおいて、受信端末が小売りされた場合、引越し等でケーブルテレビ局が変更になると、今まで使用していた受信端末を引越し先で使用する場合、現在のケーブルテレビ局の契約解除と共に新たに加入すべきケーブルテレビ局への連絡が必要になる等の手続きの負担に加え、受信端末の管理が煩雑になるおそれがある。
【０００６】
さらに、賃貸契約の集合住宅でケーブルテレビを受信して地上波放送を受信している加入者は、ケーブルテレビに加入している意識が希薄であるケースが多く、転居時にケーブルテレビの解約手続きを忘れたり、あるいはケーブルテレビが敷設されている新居で、同軸ケーブルをＳＴＢに接続しても、ケーブルテレビ局からＳＴＢが認証されていないため、映像が映らない等の問題が発生し、利用者はＳＴＢが不良であると、勘違いを起こし易くなる。
このような問題は、ＳＴＢが小売されると、市場で顕著に発生し得る。
【０００７】
そこで、本発明は、上記従来技術の問題点に鑑みなされたものであって、全ケーブルテレビ局情報とＳＴＢを管理する中央管理装置や各ケーブルテレビ局装置において、各ケーブルテレビ局情報や、受信端末情報を保持・管理することで、ＳＴＢ等のケーブルテレビ受信端末の小売りが開始された場合の管理を容易に行うことが可能なケーブルテレビ管理システム、中央管理装置、ケーブルテレビ局装置及びケーブルテレビ受信端末を提供することを目的とする。
【課題を解決するための手段】
【０００８】
この発明は、上記目的を達成するために、以下の構成を備えている。
本発明のケーブルテレビ管理システムは、ケーブルテレビ局装置と、ケーブルテレビ局に加入したケーブルテレビ加入者の受信端末と、前記ケーブルテレビ局のケーブルテレビ局情報及び前記受信端末の受信端末情報を管理する中央管理装置とを具備したケーブルテレビ管理システムであって、前記中央管理装置が、前記ケーブルテレビ局を識別する固有のケーブルテレビ局ＩＤを登録すると共に、前記ケーブルテレビ局装置に登録されている受信端末を識別する固有の受信端末ＩＤを登録する機能と、前記受信端末の加入した前記ケーブルテレビ局が変更になった場合、前記受信端末に対応して以前に登録してあるケーブルテレビ局ＩＤを新たなケーブルテレビ局のケーブルテレビ局ＩＤに変更登録する機能とを備えたケーブルテレビ局情報／受信端末情報管理部を有しており、前記ケーブルテレビ局装置が、前記中央管理装置から送信されたケーブルテレビ局情報と受信端末情報を受信すると共に、受信したケーブルテレビ局情報と受信端末情報を前記受信端末に送信する機能を備えており、前記受信端末が、前記ケーブルテレビ局装置から送信されたケーブルテレビ局情報と受信端末情報を受信すると共に、前記ケーブルテレビ局を識別する固有のケーブルテレビ局ＩＤを登録する機能を備えたことを特徴とする構成を有するものである。
【０００９】
上記に記載の本発明によれば、中央管理装置において、各ケーブルテレビ局情報及び受信端末情報を保持・管理することで、受信端末の小売りが開始された場合でも、ケーブルテレビ局装置及びケーブルテレビ局装置に登録されている受信端末の管理を容易に行うことができる。
【００１０】
本発明の中央管理装置は、ケーブルテレビ局のケーブルテレビ局情報及び前記ケーブルテレビ局に加入したケーブルテレビ加入者の受信端末の受信端末情報を管理する機能と、ケーブルテレビ局情報をケーブルテレビ局装置に送信するケーブルテレビ局情報送信手段と、受信端末情報を前記ケーブルテレビ局装置に送信する受信端末情報送信手段とを備えたケーブルテレビ局情報／受信端末情報管理部を有することを特徴とする構成を有する。
【００１１】
上記に記載の本発明によれば、ケーブルテレビ局情報送信手段がケーブルテレビ局情報をケーブルテレビ局装置に送信すると共に、受信端末情報送信手段が受信端末情報をケーブルテレビ局装置に送信するので、ケーブルテレビ局情報及び受信端末情報を中央管理装置からケーブルテレビ局装置へと流すことができる。
【００１２】
本発明のケーブルテレビ局装置は、中央管理装置から送信されたケーブルテレビ局のケーブルテレビ局情報を受信するケーブルテレビ局情報受信手段を具備し、前記中央管理装置から送信されたケーブルテレビ加入者の受信端末の受信端末情報を受信すると共に、受信したケーブルテレビ局情報と受信端末情報を管理情報として前記受信端末に送信する機能を備えたことを特徴とする構成を有する。
【００１３】
上記に記載の本発明によれば、ケーブルテレビ局情報受信手段が中央管理装置から送信されたケーブルテレビ局のケーブルテレビ局情報を受信するので、中央管理装置からのケーブルテレビ局情報を取得することができ、しかも、中央管理装置から送信されたケーブルテレビ加入者の受信端末の受信端末情報を受信するので、中央管理装置からの受信端末情報を取得することができ、受信したケーブルテレビ局情報と受信端末情報を管理情報として受信端末に送信するので、管理情報をケーブルテレビ局装置から受信端末へと流すことができる。
【００１４】
本発明のケーブルテレビ受信端末は、ケーブルテレビ局装置から送信されたケーブルテレビ局情報及び受信端末情報を管理情報として受信する管理情報受信手段を具備し、ケーブルテレビ局を識別する固有のケーブルテレビ局ＩＤを登録する機能と、加入している前記ケーブルテレビ局が変更になった場合、前記ケーブルテレビ局装置から送信された新たなケーブルテレビ局ＩＤを変更登録する機能とを備えたことを特徴とする構成を有する。
【００１５】
上記に記載の本発明によれば、管理情報受信手段がケーブルテレビ局装置から送信されたケーブルテレビ局情報及び受信端末情報を管理情報として受信するので、ケーブルテレビ局装置からのケーブルテレビ局情報及び受信端末情報を取得することができ、加入するケーブルテレビ局が変更になった場合、ケーブルテレビ局装置から送信された新たなケーブルテレビ局ＩＤを変更登録するので、ケーブルテレビが視聴可能となる。
【００１６】
本発明のケーブルテレビ管理システムは、ケーブルテレビ局装置と、ケーブルテレビ局に加入したケーブルテレビ加入者の受信端末と、前記ケーブルテレビ局のケーブルテレビ局情報を管理する中央管理装置とを具備したケーブルテレビ管理システムであって、前記中央管理装置が、ケーブルテレビ局情報を前記ケーブルテレビ局装置に送信すると共に、前記ケーブルテレビ局装置から送信された受信端末情報を受信する機能と、前記ケーブルテレビ局を識別する固有のケーブルテレビ局ＩＤを登録する機能と、前記受信端末の加入した前記ケーブルテレビ局が変更になった場合、前記受信端末に対応して以前に登録してあるケーブルテレビ局ＩＤを新たなケーブルテレビ局のケーブルテレビ局ＩＤに変更登録する機能とを備えたケーブルテレビ局情報管理部を有しており、前記ケーブルテレビ局装置が、受信端末情報を管理する機能と、前記中央管理装置から送信されたケーブルテレビ局情報を受信すると共に、受信したケーブルテレビ局情報を前記受信端末に送信する機能と、前記ケーブルテレビ局装置に登録されている受信端末を識別する固有の受信端末ＩＤを登録する機能とを備えた受信端末情報管理部を有しており、前記受信端末が、前記ケーブルテレビ局装置から送信されたケーブルテレビ局情報と受信端末情報を受信すると共に、前記ケーブルテレビ局を識別する固有のケーブルテレビ局ＩＤを登録する機能を備えたことを特徴とする構成を有するものである。
【００１７】
上記に記載の本発明によれば、中央管理装置において、各ケーブルテレビ局情報を保持・管理すると共に、各ケーブルテレビ局装置において、受信端末情報を保持・管理することで、受信端末の小売りが開始された場合でも、中央管理装置がケーブルテレビ局装置を管理するのみで良く、ケーブルテレビ局装置が受信端末を独自で管理することができ、中央管理装置の負担が大きくならず、運用に支障をきたすこともなく、ケーブルテレビ局装置への解約の連絡をし忘れても、中央管理装置で同じＩＤの受信端末が２つのケーブルテレビ局装置で登録されていることがわかり、受信端末ＩＤが別々のケーブルテレビ局装置で使用していることがわかれば、受信端末のＩＤの不正使用を防止することも可能になる。
【００１８】
本発明の中央管理装置は、ケーブルテレビ局のケーブルテレビ局情報を管理する機能と、ケーブルテレビ局情報をケーブルテレビ局装置に送信するケーブルテレビ局情報送信手段と、前記ケーブルテレビ局装置から送信されたケーブルテレビ加入者の受信端末の受信端末情報を受信する受信端末情報受信手段とを備えたケーブルテレビ局情報管理部を有することを特徴とする構成を有する。
【００１９】
上記に記載の本発明によれば、ケーブルテレビ局情報送信手段がケーブルテレビ局情報をケーブルテレビ局装置に送信するので、ケーブルテレビ局情報を中央管理装置からケーブルテレビ局装置へと流すことができ、受信端末情報受信手段がケーブルテレビ局装置から送信された受信端末の受信端末情報を受信するので、ケーブルテレビ局装置からの受信端末情報を取得することができる。
【００２０】
本発明のケーブルテレビ局装置は、ケーブルテレビ局に加入したケーブルテレビ加入者の受信端末の受信端末情報を管理する機能と、中央管理装置から送信された前記ケーブルテレビ局のケーブルテレビ局情報を受信すると共に、受信したケーブルテレビ局情報を前記受信端末に送信し、前記受信端末から送信された管理情報を受信すると共に、受信した管理情報を前記中央管理装置に送信するケーブルテレビ局情報／受信端末情報送受信手段を備えた受信端末情報管理部を有することを特徴とする構成を有する。
【００２１】
上記に記載の本発明によれば、ケーブルテレビ局情報／受信端末情報送受信手段が中央管理装置から送信されたケーブルテレビ局のケーブルテレビ局情報を受信するので、中央管理装置からのケーブルテレビ局情報を取得することができ、受信したケーブルテレビ局情報を受信端末に送信するので、ケーブルテレビ局情報をケーブルテレビ局装置から受信端末へと流すことができ、しかも、ケーブルテレビ局情報／受信端末情報送受信手段が受信端末から送信された管理情報を受信するので、受信端末からの管理情報を取得することができ、受信した管理情報を中央管理装置に送信するので、管理情報をケーブルテレビ局装置から中央管理装置へと流すことができる。
【発明の効果】
【００２２】
以上説明したように、本発明によれば、全ケーブルテレビ局情報とＳＴＢを管理する中央管理装置や各ケーブルテレビ局装置において、各ケーブルテレビ局情報や、受信端末情報を保持・管理することで、ＳＴＢ等のケーブルテレビ受信端末の小売りが開始された場合の管理を容易に行うことが可能なケーブルテレビ管理システム、中央管理装置、ケーブルテレビ局装置及びケーブルテレビ受信端末を得ることができる。
【発明を実施するための最良の形態】
【００２３】
以下、本発明を実施するための最良の形態を図面を参照して詳細に説明する。
【実施例】
【００２４】
図１は、本発明の実施例に係るケーブルテレビ管理システムの構成を示すブロック図である。
本発明のケーブルテレビ管理システムＳは、ケーブルテレビ局装置８，１１，１４と、ケーブルテレビ局に加入したケーブルテレビ加入者の受信端末であるＳＴＢ（Ｓｅｔ  Ｔｏｐ  Ｂｏｘ：セットトップボックス）１７，２０，２３と、ケーブルテレビ局のケーブルテレビ局情報（以下、局情報という）及びＳＴＢ１７，２０，２３の受信端末情報（以下、ＳＴＢ情報という）を管理する中央管理装置１とを具備している。
【００２５】
中央管理装置１は、全ケーブルテレビ局とそれに加入している全ＳＴＢを管理する装置であり、ケーブルテレビの規格団体や行政から委託を受けた民間企業等に設置されることを想定している。
【００２６】
また、以下実施例におけるケーブルテレビ局の変更とは、将来的にケーブルテレビ局間で買収や合併が発生することを想定しており、ケーブルテレビ局の廃止等により、ケーブルテレビ局内の放送設備が破棄され、放送信号が送信されない事態は想定外としている。
【００２７】
本発明のケーブルテレビ管理システムＳは、中央管理装置１が、ケーブルテレビ局を識別する固有のケーブルテレビ局ＩＤ（以下、局ＩＤという）を登録すると共に、ケーブルテレビ局装置８，１１，１４に登録されているＳＴＢ１７，２０，２３を識別する固有の受信端末ＩＤ（以下、ＳＴＢ−ＩＤという）を登録する機能と、ＳＴＢ１７，２０，２３の加入したケーブルテレビ局が変更になった場合、ＳＴＢ１７，２０，２３に対応して以前に登録してある局ＩＤを新たなケーブルテレビ局の局ＩＤに変更登録する機能とを備えたケーブルテレビ局情報／受信端末情報管理部（以下、局情報／ＳＴＢ情報管理部という）２を有している。
【００２８】
本発明のケーブルテレビ管理システムＳは、ケーブルテレビ局装置８，１１，１４が、中央管理装置１から送信された局情報とＳＴＢ情報を受信すると共に、受信した局情報とＳＴＢ情報をＳＴＢ１７，２０，２３に送信する機能を備えている。
【００２９】
本発明のケーブルテレビ管理システムＳは、ＳＴＢ１７，２０，２３が、ケーブルテレビ局装置８，１１，１４から送信された局情報とＳＴＢ情報を受信すると共に、ケーブルテレビ局を識別する固有の局ＩＤを登録する機能を備えている。
【００３０】
本発明の中央管理装置１は、ケーブルテレビ局の局情報及びケーブルテレビ局に加入したケーブルテレビ加入者のＳＴＢ１７，２０，２３のＳＴＢ情報を管理する機能と、局情報をケーブルテレビ局装置８，１１，１４に送信するケーブルテレビ局情報送信手段である局情報送信部５と、ＳＴＢ情報をケーブルテレビ局装置８，１１，１４に送信する受信端末情報送信手段であるＳＴＢ情報送信部４とを備えた局情報／ＳＴＢ情報管理部２を有している。
【００３１】
本発明のケーブルテレビ局装置８，１１，１４は、中央管理装置１から送信されたケーブルテレビ局の局情報を受信するケーブルテレビ局情報受信手段である局情報受信部９，１２，１５を具備し、中央管理装置１から送信されたケーブルテレビ加入者のＳＴＢ１７，２０，２３のＳＴＢ情報を受信すると共に、受信した局情報とＳＴＢ情報を管理情報としてＳＴＢ１７，２０，２３に送信する機能を備えている。
【００３２】
本発明のＳＴＢ（ケーブルテレビ受信端末）１７，２０，２３は、ケーブルテレビ局装置８，１１，１４から送信された局情報及びＳＴＢ情報を管理情報として受信する管理情報受信手段である管理情報受信部１８，２１，２４を具備し、ケーブルテレビ局を識別する固有の局ＩＤを登録する機能と、加入しているケーブルテレビ局が変更になった場合、ケーブルテレビ局装置８，１１，１４から送信された新たな局ＩＤを変更登録する機能とを備えている。
【００３３】
ケーブルテレビ管理システムＳは、局情報管理部と、ＳＴＢ情報管理部と、局情報を受信する局情報受信部と、ＳＴＢ情報を受信するＳＴＢ情報受信部とを備え、図１には、中央管理装置に局情報管理部及びＳＴＢ情報管理部を設けた場合のブロック図を示す。
この場合、各ケーブルテレビ局装置には局情報受信部の機能を有し、各家庭に設置されるＳＴＢにはＳＴＢ情報受信部の機能を有する。
【００３４】
ケーブルテレビ管理システムＳの中央管理装置１は、図１に示すように、局情報／ＳＴＢ情報管理部２を具備し、中央管理装置１の局情報／ＳＴＢ情報管理部２は、各ケーブルテレビ局の局情報を送信する局情報送信部５と、各ＳＴＢ１７，２０，２３のＳＴＢ情報を送信するＳＴＢ情報送信部４と、送信する情報や送信方法等を制御する制御部３と、各ケーブルテレビ局の局情報を各局固有の局ＩＤで保存（登録）している局台帳７と、各ＳＴＢ１７，２０，２３のＳＴＢ情報を各ＳＴＢ固有のＳＴＢ−ＩＤで保存（登録）しているＳＴＢ台帳６とを備えている。
【００３５】
制御部３は、局情報とＳＴＢ情報を専用ＴＳ（Ｔｒａｎｓｐｏｒｔ  Ｓｔｒｅａｍ：トランスポートストリーム）に入れて送信する機能や、局情報を空きパケット（ＮＵＬＬパケット）等に入れて送信する機能を備えている。
【００３６】
Ａケーブルテレビ局装置８は、図１に示すように、中央管理装置１の局情報送信部５から送信された局情報を受信する局情報受信部９と、送受信する情報や送信方法等を制御する制御部１０とを備えている。
制御部１０は、上記専用ＴＳをＡケーブルテレビ局の放送波に多重化して、Ａケーブルテレビ局に加入している全ＳＴＢに配信する。
【００３７】
Ｂケーブルテレビ局装置１１は、図１に示すように、中央管理装置１の局情報送信部５から送信された局情報を受信する局情報受信部１２と、送受信する情報や送信方法等を制御する制御部１３とを備えている。
制御部１３は、上記専用ＴＳをＢケーブルテレビ局の放送波に多重化して、Ｂケーブルテレビ局に加入している全ＳＴＢに配信する。
【００３８】
Ｃケーブルテレビ局装置１４は、図１に示すように、中央管理装置１の局情報送信部５から送信された局情報を受信する局情報受信部１５と、送受信する情報や送信方法等を制御する制御部１６とを備えている。
制御部１６は、上記専用ＴＳをＣケーブルテレビ局の放送波に多重化して、Ｃケーブルテレビ局に加入している全ＳＴＢに配信する。
【００３９】
次に、各ケーブルテレビ局装置８，１１，１４の局情報受信部９，１２，１５は、中央管理装置１の局情報送信部５から送られてきた局情報を受信し、受信した局情報をブロードキャストでケーブルテレビ加入者宅へ送信する機能を備え、また、中央管理装置１のＳＴＢ情報送信部４から送られてきたＳＴＢ情報を受信し、局情報とＳＴＢ情報とを多重して各ＳＴＢ１７，２０，２３に送信する機能を備え、各ケーブルテレビ局装置８，１１，１４の制御部１０，１３，１６は、送受信する情報や送信方法の制御を可能とする。
【００４０】
図５に各ケーブルテレビ局装置から送信される局情報／ＳＴＢ情報の一例を示す。
図５では、Ａケーブルテレビ局、Ｂケーブルテレビ局、Ｃケーブルテレビ局自身とそれらに加入している全ＳＴＢが中央管理装置１に登録されている。
【００４１】
Ａ１−ＳＴＢ１７は、図１に示すように、Ａケーブルテレビ局装置８から送信された局情報やＳＴＢ情報を受信する管理情報受信部１８と、局情報やＳＴＢ情報の送受信を制御する制御部１９とを備えている。
【００４２】
Ｂ１−ＳＴＢ２０は、図１に示すように、Ｂケーブルテレビ局装置１１から送信された局情報やＳＴＢ情報を受信する管理情報受信部２１と、局情報やＳＴＢ情報の送受信を制御する制御部２２とを備えている。
【００４３】
Ｃ１−ＳＴＢ２３は、図１に示すように、Ｃケーブルテレビ局装置１４から送信された局情報やＳＴＢ情報を受信する管理情報受信部２４と、局情報やＳＴＢ情報の送受信を制御する制御部２５とを備えている。
【００４４】
最後に、各家庭に設置されるＳＴＢ１７，２０，２３の管理情報受信部１８，２１，２４は、各ケーブルテレビ局装置８，１１，１４から送信されてきた局情報やＳＴＢ情報を受信する機能を備え、ＳＴＢ１７，２０，２３の制御部１９，２２，２５は、局情報やＳＴＢ情報の送受信を制御する機能を備えている。
【００４５】
図１のブロック図には記載していないが、ユーザから中央管理装置１へのＳＴＢ登録連絡、及び中央管理装置１からケーブルテレビ局装置８，１１，１４への局情報やＳＴＢ情報等の送信は、電話連絡の他、上りラインを確保することで（例えば、ケーブルモデム等）データでの登録や送信も可能である。
【００４６】
図２は、本発明の実施例に係るケーブルテレビ管理システムにおけるケーブルテレビ管理の流れを説明するフローチャート図である。
以下、本発明におけるケーブルテレビ管理の流れの一例について、図１のブロック図を参照して説明する。
ステップＳ１０１において、初めてＳＴＢ１７，２０，２３にケーブルをつなぐ場合、ＳＴＢの認証が行われる。
各ＳＴＢは、各々が加入しているケーブルテレビ局から送出される局情報／ＳＴＢ情報を受信し、自分のＳＴＢ−ＩＤが属する局ＩＤが存在すれば、ＳＴＢが局から認証されているため、視聴可能となり、逆に自分のＳＴＢ−ＩＤが受信した局情報／ＳＴＢ情報に存在しなければ、ＳＴＢは視聴不可の旨を画面に表示し、中央管理装置１を運営している管理団体への加入登録を促す。
【００４７】
即ち、ＳＴＢ１７，２０，２３の各々は、受信した局情報／ＳＴＢ情報に自分のＳＴＢ−ＩＤが記載されているかを検索し、記載されていれば（ステップＳ１０１“正”）、ＳＴＢ１７，２０，２３が中央管理装置１に登録済みと判断され、ケーブルテレビが視聴可能となる。
【００４８】
中央管理装置１へのＳＴＢ１７，２０，２３の登録が未手続きの場合、即ち、自分のＳＴＢ−ＩＤが局情報／ＳＴＢ情報に記載されていない場合は、ＳＴＢが未登録と判断され（ステップＳ１０１“誤”）、加入すべき中央管理装置１への連絡先等がモニタに表示され、ステップＳ１０２に進む。
【００４９】
ステップＳ１０２において、加入すべき中央管理装置１への連絡を行った場合（ステップＳ１０２“Ｙｅｓ”）、ステップＳ１０３において、中央管理装置１でのＳＴＢ１７，２０，２３のＳＴＢ登録手続きが行われ、次いで、ステップＳ１０４において、中央管理装置１からケーブルテレビ局装置８，１１，１４へケーブルテレビ局の局情報を送信する。
このステップＳ１０２において、加入すべき中央管理装置１への連絡を行わないと（ステップＳ１０２“Ｎｏ”）、ＳＴＢ１７，２０，２３は未登録扱いで視聴不可状態となる。
【００５０】
次いで、ステップＳ１０５において、受信したケーブルテレビ局の局情報をケーブルテレビ局装置８，１１，１４からブロードキャストでケーブルテレビ加入者宅へ送信する。
【００５１】
次いで、ステップＳ１０６において、上記ＳＴＢ１７，２０，２３は、上記局情報を受信し、受信した局情報をＳＴＢ１７，２０，２３内に記録する（以下、加入局ＩＤと称する）。
【００５２】
そして、ＳＴＢが登録された後は図２の始めに戻り、再度ＳＴＢ１７，２０，２３内に登録されている加入局ＩＤと、ケーブルテレビ局装置８，１１，１４からブロードキャストで送信されている局ＩＤとの照合を行い、加入局ＩＤと局ＩＤが一致すれば、ケーブルテレビが視聴可能となる。
【００５３】
逆に加入局ＩＤと受信した局ＩＤが不一致であった場合、例えば、新たにＡケーブルテレビ局装置８に加入したＡ１−ＳＴＢ１７があった場合、Ａケーブルテレビ局装置８のケーブルにＡ１−ＳＴＢ１７をそのままつないでもＡケーブルテレビ局の局情報が未設定であるため、管理団体へ登録手続きをしなければＡ１−ＳＴＢ１７は視聴不可となる（ステップＳ１０７）。
【００５４】
この場合、中央管理装置１への問い合わせ先等がモニタ（テレビやＳＴＢの表示画面）に表示される。
【００５５】
そのため、Ａ１−ＳＴＢ１７のユーザは、中央管理装置１に連絡し、中央管理装置１のＳＴＢ台帳６に登録される登録手続きを行うことができる。
【００５６】
中央管理装置１の局情報送信部５は、Ａケーブルテレビ局の局情報をＡケーブルテレビ局装置８に送信する。
【００５７】
Ａケーブルテレビ局装置８では、受信したＡケーブルテレビ局の局情報をブロードキャストでケーブルテレビ加入者宅へ送信し、Ａ１−ＳＴＢ１７では、受信したＡケーブルテレビ局の局情報をＡ１−ＳＴＢ１７の局情報記録部等に書き込むことで、Ａ１−ＳＴＢ１７は、Ａケーブルテレビ局装置８からのサービスの受信が可能となる。
【００５８】
このような中央管理装置１に基づく管理を行えば、各ケーブルテレビ局装置の管理及び各ＳＴＢの管理も容易に行うことが可能となる。
【００５９】
上記ケーブルテレビ管理システムＳにより、例えば、図１のシステムにおいて、Ｃケーブルテレビ局装置１４に加入していたＣ１−ＳＴＢ２３が、引越し等でＢケーブルテレビ局装置１１の地域に移動した場合、Ｂケーブルテレビ局装置１１のケーブルにＣ１−ＳＴＢ２３をそのままつないでもＢケーブルテレビ局の局情報が未設定であるため視聴不可となる。
【００６０】
この場合、中央管理装置１への問い合わせ先等がモニタ（テレビやＳＴＢの表示画面）に表示される。
【００６１】
そのため、Ｃ１−ＳＴＢ２３のユーザは、中央管理装置１に連絡し、中央管理装置１のＳＴＢ台帳６に登録される登録手続きを行うことができる。
【００６２】
中央管理装置１の局情報送信部５は、Ｂケーブルテレビ局の局情報をＢケーブルテレビ局装置１１に送信する。
【００６３】
Ｂケーブルテレビ局装置１１では、受信したＢケーブルテレビ局の局情報をブロードキャストでケーブルテレビ加入者宅へ送信し、Ｃ１−ＳＴＢ２３では、受信したＢケーブルテレビ局の局情報をＣ１−ＳＴＢ２３の局情報記録部等に書き込むことで、Ｃ１−ＳＴＢ２３は、Ｂケーブルテレビ局装置１１からのサービスを受けることができる。
【００６４】
上記ケーブルテレビ管理システムでは、ケーブルテレビ加入者の受信端末の管理だけでなく、ケーブルテレビ局装置も管理するような中央管理装置が、小売り管理情報を含む管理データを流すことで、ケーブルテレビ局装置及び受信端末を管理することを可能にする。
【００６５】
しかしながら、図１に示すケーブルテレビ管理システムＳのように、管理情報全てを中央管理装置１に委ねる場合、中央管理装置１における負担が大きくなり、運用に支障をきたすことも考えられ、また、ＭＳＯ（Ｍｕｌｔｉｐｌｅ  Ｓｙｓｔｅｍ  Ｏｐｅｒａｔｏｒ）など規模の大きいケーブルテレビ局では、加入ＳＴＢ情報を独自で管理可能である可能性も考えられる。
【００６６】
図３は、本発明の他の実施例に係るケーブルテレビ管理システムの構成を示すブロック図である。
本発明のケーブルテレビ管理システムＳは、ケーブルテレビ局装置３２，３７，４２と、ケーブルテレビ局に加入したケーブルテレビ加入者の受信端末であるＳＴＢ４７，５０，５３，５６と、ケーブルテレビ局の局情報を管理する中央管理装置２６とを具備している。
【００６７】
本発明のケーブルテレビ管理システムＳは、中央管理装置２６が、局情報をケーブルテレビ局装置３２，３７，４２に送信すると共に、ケーブルテレビ局装置３２，３７，４２から送信されたＳＴＢ情報を受信する機能と、ケーブルテレビ局を識別する固有の局ＩＤを登録する機能と、ＳＴＢ４７，５０，５３，５６の加入したケーブルテレビ局が変更になった場合、ＳＴＢ４７，５０，５３，５６に対応して以前に登録してある局ＩＤを新たなケーブルテレビ局の局ＩＤに変更登録する機能とを備えたケーブルテレビ局情報管理部（以下、局情報管理部という）２７を有している。
【００６８】
本発明のケーブルテレビ管理システムＳは、ケーブルテレビ局装置３２，３７，４２が、ＳＴＢ情報を管理する機能と、中央管理装置２６から送信された局情報を受信すると共に、受信した局情報をＳＴＢ４７，５０，５３，５６に送信する機能と、ケーブルテレビ局装置３２，３７，４２に登録されているＳＴＢ４７，５０，５３，５６を識別する固有のＳＴＢ−ＩＤを登録する機能とを備えた受信端末情報管理部（以下、ＳＴＢ情報管理部という）３３，３８，４３を有している。
【００６９】
本発明のケーブルテレビ管理システムＳは、ＳＴＢ４７，５０，５３，５６が、ケーブルテレビ局装置３２，３７，４２から送信された局情報とＳＴＢ情報を受信すると共に、ケーブルテレビ局を識別する固有の局ＩＤを登録する機能を備えている。
【００７０】
本発明の中央管理装置２６は、ケーブルテレビ局の局情報を管理する機能と、局情報をケーブルテレビ局装置３２，３７，４２に送信するケーブルテレビ局情報送信手段である局情報送信部２８と、ケーブルテレビ局装置３２，３７，４２から送信されたケーブルテレビ加入者のＳＴＢ４７，５０，５３，５６のＳＴＢ情報を受信する受信端末情報受信手段であるＳＴＢ情報受信部２９とを備えた局情報管理部２７を有している。
【００７１】
本発明のケーブルテレビ局装置３２，３７，４２は、ケーブルテレビ局に加入したケーブルテレビ加入者のＳＴＢ４７，５０，５３，５６のＳＴＢ情報を管理する機能と、中央管理装置２６から送信されたケーブルテレビ局の局情報を受信すると共に、受信した局情報をＳＴＢ４７，５０，５３，５６に送信し、ＳＴＢ４７，５０，５３，５６から送信された管理情報を受信すると共に、受信した管理情報を中央管理装置２６に送信するケーブルテレビ局情報／受信端末情報送受信手段である局情報／ＳＴＢ情報送受信部３４，３９，４４を備えたＳＴＢ情報管理部３３，３８，４３を有している。
【００７２】
図３に、中央管理装置には各ケーブルテレビ局装置のケーブルテレビ局の局情報を管理する機能を有し、各ケーブルテレビ局装置には加入ＳＴＢの管理情報を管理する機能を有する場合のブロック図を示す。
【００７３】
この場合、図３に示すように、中央管理装置には局情報管理部の機能を有し、各ケーブルテレビ局装置にはＳＴＢ情報管理部の機能を有し、各家庭に設置されるＳＴＢには管理情報受信部の機能を有する。
【００７４】
ケーブルテレビ管理システムＳの中央管理装置２６は、図３に示すように、局情報管理部２７を具備し、中央管理装置２６の局情報管理部２７は、各ケーブルテレビ局の局情報を送信する局情報送信部２８と、送信する情報や送信方法等を制御する制御部３１と、各ケーブルテレビ局の局情報を各局固有の局ＩＤで保存（登録）している局台帳３０と、各ケーブルテレビ局装置３２，３７，４２から送信されてくるＳＴＢ情報を受信するＳＴＢ情報受信部２９とを備えている。
【００７５】
制御部３１は、局情報を専用ＴＳに入れて送信する機能や、局情報を空きパケット（ＮＵＬＬパケット）等に入れて送信する機能を備えている。
【００７６】
Ａケーブルテレビ局装置３２は、図３に示すように、ＳＴＢ情報管理部３３を具備し、ＳＴＢ情報管理部３３は、中央管理装置２６の局情報送信部２８から送信された局情報を受信すると共に、受信した局情報をブロードキャストでケーブルテレビ加入者宅へ送信し、各ＳＴＢ４７，５０，５３，５６からの管理情報を受信すると共に、受信した管理情報を中央管理装置２６に送信する局情報／ＳＴＢ情報送受信部３４と、送受信する情報や送信方法等を制御する制御部３６と、各ケーブルテレビ局装置３２，３７，４２に登録されている各ＳＴＢ４７，５０，５３，５６のＳＴＢ情報を各ＳＴＢ固有のＳＴＢ−ＩＤで保存（登録）しているＳＴＢ台帳３５とを備えている。
制御部３６は、中央管理装置２６から送出された局情報を抽出し、Ａケーブルテレビ局に加入しているＳＴＢ−ＩＤと併せて、これらを放送波に多重化し、Ａケーブルテレビ局に加入している全ＳＴＢに配信する。
局情報／ＳＴＢ情報の例としては、前出の図５と同様である。
【００７７】
Ｂケーブルテレビ局装置３７は、図３に示すように、ＳＴＢ情報管理部３８を具備し、ＳＴＢ情報管理部３８は、中央管理装置２６の局情報送信部２８から送信された局情報を受信すると共に、受信した局情報をブロードキャストでケーブルテレビ加入者宅へ送信し、各ＳＴＢ４７，５０，５３，５６からの管理情報を受信すると共に、受信した管理情報を中央管理装置２６に送信する局情報／ＳＴＢ情報送受信部３９と、送受信する情報や送信方法等を制御する制御部４１と、各ケーブルテレビ局装置３２，３７，４２に登録されている各ＳＴＢ４７，５０，５３，５６のＳＴＢ情報を各ＳＴＢ固有のＳＴＢ−ＩＤで保存（登録）しているＳＴＢ台帳４０とを備えている。
制御部４１は、中央管理装置２６から送出された局情報を抽出し、Ｂケーブルテレビ局に加入しているＳＴＢ−ＩＤと併せて、これらを放送波に多重化し、Ｂケーブルテレビ局に加入している全ＳＴＢに配信する。
【００７８】
Ｃケーブルテレビ局装置４２は、図３に示すように、ＳＴＢ情報管理部４３を具備し、ＳＴＢ情報管理部４３は、中央管理装置２６の局情報送信部２８から送信された局情報を受信すると共に、受信した局情報をブロードキャストでケーブルテレビ加入者宅へ送信し、各ＳＴＢ４７，５０，５３，５６からの管理情報を受信すると共に、受信した管理情報を中央管理装置２６に送信する局情報／ＳＴＢ情報送受信部４４と、送受信する情報や送信方法等を制御する制御部４６と、各ケーブルテレビ局装置３２，３７，４２に登録されている各ＳＴＢ４７，５０，５３，５６のＳＴＢ情報を各ＳＴＢ固有のＳＴＢ−ＩＤで保存（登録）しているＳＴＢ台帳４５とを備えている。
制御部４６は、中央管理装置２６から送出された局情報を抽出し、Ｃケーブルテレビ局に加入しているＳＴＢ−ＩＤと併せて、これらを放送波に多重化し、Ｃケーブルテレビ局に加入している全ＳＴＢに配信する。
【００７９】
次に、各ケーブルテレビ局装置３２，３７，４２のＳＴＢ情報管理部３３，３８，４３において、局情報／ＳＴＢ情報送受信部３４，３９，４４は、中央管理装置２６の局情報送信部２８から送られてきた局情報を受信し、受信した局情報をブロードキャストでケーブルテレビ加入者宅へ送信する機能と、局情報とＳＴＢ情報とを多重して各ＳＴＢ４７，５０，５３，５６に送信する機能と、各ＳＴＢ４７，５０，５３，５６からの管理情報を受信し、受信した管理情報を中央管理装置２６に送信する機能とを備え、また、ＳＴＢ台帳３５，４０，４５は、各ケーブルテレビ局装置３２，３７，４２に登録されている各ＳＴＢ４７，５０，５３，５６のＳＴＢ情報を各ＳＴＢ固有のＳＴＢ−ＩＤで保存（登録）しており、さらに、制御部３６，４１，４６は、送受信する情報や送信方法の制御を可能とする。
【００８０】
Ａ１−ＳＴＢ４７は、図３に示すように、Ａケーブルテレビ局装置３２から送信された局情報やＳＴＢ情報を受信する管理情報受信部４８と、局情報やＳＴＢ情報の送受信を制御する制御部４９とを備えている。
【００８１】
Ａ２−ＳＴＢ５０は、図３に示すように、Ａケーブルテレビ局装置３２から送信された局情報やＳＴＢ情報を受信する管理情報受信部５１と、局情報やＳＴＢ情報の送受信を制御する制御部５２とを備えている。
【００８２】
Ｂ１−ＳＴＢ５３は、図３に示すように、Ｂケーブルテレビ局装置３７から送信された局情報やＳＴＢ情報を受信する管理情報受信部５４と、局情報やＳＴＢ情報の送受信を制御する制御部５５とを備えている。
【００８３】
Ｃ１−ＳＴＢ５６は、図３に示すように、Ｃケーブルテレビ局装置４２から送信された局情報やＳＴＢ情報を受信する管理情報受信部５７と、局情報やＳＴＢ情報の送受信を制御する制御部５８とを備えている。
【００８４】
最後に、各家庭に設置されるＳＴＢ４７，５０，５３，５６の管理情報受信部４８，５１，５４，５７は、各ケーブルテレビ局装置３２，３７，４２から送信されてきた局情報やＳＴＢ情報を受信する機能を備え、ＳＴＢ４７，５０，５３，５６の制御部４９，５２，５５，５８は、局情報やＳＴＢ情報の送受信を制御する機能を備えている。
【００８５】
図３のブロック図には記載していないが、ユーザからケーブルテレビ局装置３２，３７，４２へのＳＴＢ登録連絡、及びケーブルテレビ局装置３２，３７，４２から中央管理装置２６への局情報やＳＴＢ情報等の送信要求は、電話連絡の他、上りラインを確保することで（例えば、ケーブルモデム等）データでの登録や送信要求も可能である。
【００８６】
図４は、本発明の他の実施例に係るケーブルテレビ管理システムにおけるケーブルテレビ管理の流れを説明するフローチャート図である。
以下、本発明におけるケーブルテレビ管理の流れの一例について、図３のブロック図を参照して説明する。
ステップＳ２０１において、初めてＳＴＢ４７，５０，５３，５６にケーブルをつなぐ場合、ＳＴＢの認証が行われる。
各ＳＴＢは、図１の実施例と同様に、各々が加入しているケーブルテレビ局から送出される局情報／ＳＴＢ情報を受信し、自分のＳＴＢ−ＩＤが属する局ＩＤが存在すれば、ＳＴＢがケーブルテレビ局から認証されているため、視聴可能となり、逆に自分のＳＴＢ−ＩＤが受信した局情報／ＳＴＢ情報に存在しなければ、ＳＴＢは視聴不可の旨を画面に表示し、中央管理装置２６を運営している団体への加入登録を促す。
【００８７】
即ち、ＳＴＢ４７，５０，５３，５６の各々は、受信した局情報／ＳＴＢ情報に自分のＳＴＢ−ＩＤが記載されているかを検索し、記載されていれば（ステップＳ２０１“正”）、ＳＴＢ４７，５０，５３，５６がケーブルテレビ局装置３２，３７，４２に登録済みと判断され、ケーブルテレビが視聴可能となる。
【００８８】
ケーブルテレビ局装置３２，３７，４２へのＳＴＢ４７，５０，５３，５６の登録が未手続きの場合、即ち、自分のＳＴＢ−ＩＤが局情報／ＳＴＢ情報に記載されていない場合は、ＳＴＢが未登録と判断され（ステップＳ２０１“誤”）、加入すべきケーブルテレビ局装置３２，３７，４２への連絡先等がモニタに表示され、ステップＳ２０２に進む。
ステップＳ２０２において、加入すべきケーブルテレビ局装置３２，３７，４２への連絡を行わないと（ステップＳ２０２“Ｎｏ”）、ＳＴＢ４７，５０，５３，５６は未登録扱いで視聴不可状態となる。
【００８９】
ステップＳ２０２において、加入すべきケーブルテレビ局装置３２，３７，４２への連絡を行った場合（ステップＳ２０２“Ｙｅｓ”）、ステップＳ２０３において、ケーブルテレビ局装置３２，３７，４２でのＳＴＢ４７，５０，５３，５６のＳＴＢ登録手続きが行われ、次いで、ステップＳ２０４において、ケーブルテレビ局装置３２，３７，４２から中央管理装置２６へ情報送信要求を出し、次いで、ステップＳ２０５において、中央管理装置２６からケーブルテレビ局装置３２，３７，４２へケーブルテレビ局の局情報を送信する。
【００９０】
次いで、ステップＳ２０６において、受信したケーブルテレビ局の局情報をケーブルテレビ局装置３２，３７，４２からブロードキャストでケーブルテレビ加入者宅へ送信する。
【００９１】
次いで、ステップＳ２０７において、上記ＳＴＢ４７，５０，５３，５６は、上記局情報を受信し、受信した局情報をＳＴＢ４７，５０，５３，５６内に加入局ＩＤを記録する。
【００９２】
そして、ＳＴＢが登録された後は図４の始めに戻り、再度ＳＴＢ４７，５０，５３，５６内に登録されている加入局ＩＤと、ケーブルテレビ局装置３２，３７，４２からブロードキャストで送信されている局ＩＤとの照合を行い、加入局ＩＤと局ＩＤが一致すれば、ケーブルテレビが視聴可能となる。
【００９３】
逆に加入局ＩＤと受信した局ＩＤが不一致であった場合、例えば、新たにＡケーブルテレビ局装置３２に加入したＡ１−ＳＴＢ４７があった場合、Ａケーブルテレビ局装置３２のケーブルにＡ１−ＳＴＢ４７をそのままつないでもＡケーブルテレビ局の局情報が未設定であるため、管理団体へ登録手続きをしなければＡ１−ＳＴＢ４７は視聴不可となる（ステップＳ２０８）。
【００９４】
この場合、Ａケーブルテレビ局装置３２への問い合わせ先等がモニタ（テレビやＳＴＢの表示画面）に表示される。
【００９５】
そのため、Ａ１−ＳＴＢ４７のユーザは、Ａケーブルテレビ局装置３２に連絡し、Ａケーブルテレビ局装置３２のＳＴＢ台帳３５に登録される登録手続きを行うことができる。
【００９６】
Ａケーブルテレビ局装置３２から中央管理装置２６に局情報送信要求が出され、それを受けた中央管理装置２６の局情報送信部２８は、Ａケーブルテレビ局の局情報をＡケーブルテレビ局装置３２に送信する。
【００９７】
Ａケーブルテレビ局装置３２では、受信したＡケーブルテレビ局の局情報をブロードキャストでケーブルテレビ加入者宅へ送信し、Ａ１−ＳＴＢ４７では、受信したＡケーブルテレビ局の局情報をＡ１−ＳＴＢ４７の局情報記録部等に書き込むことで、Ａ１−ＳＴＢ４７は、Ａケーブルテレビ局装置３２からのサービスの受信が可能となる。
【００９８】
このような中央管理装置２６に基づく管理を行えば、各ケーブルテレビ局装置の管理、及びケーブルテレビ局装置に登録されているＳＴＢの管理も容易に行うことが可能となる。
【００９９】
上記ケーブルテレビ管理システムＳにより、例えば、図３のシステムにおいて、Ｃケーブルテレビ局装置４２に加入していたＣ１−ＳＴＢ５６が、引越し等でＢケーブルテレビ局装置３７の地域に移動した場合、Ｂケーブルテレビ局装置３７のケーブルにＣ１−ＳＴＢ５６をそのままつないでもＢケーブルテレビ局の局情報が未設定であるため視聴不可となる。
【０１００】
この場合、Ｂケーブルテレビ局装置３７への問い合わせ先等がモニタ（テレビやＳＴＢの表示画面）に表示される。
【０１０１】
そのため、Ｃ１−ＳＴＢ５６のユーザは、Ｂケーブルテレビ局装置３７に連絡し、Ｂケーブルテレビ局装置３７のＳＴＢ台帳４０に登録される登録手続きを行うことができる。
【０１０２】
Ｂケーブルテレビ局装置３７から中央管理装置２６に局情報送信要求が出され、それを受けた中央管理装置２６の局情報送信部２８は、Ｂケーブルテレビ局の局情報をＢケーブルテレビ局装置３７に送信する。
【０１０３】
Ｂケーブルテレビ局装置３７では、受信したＢケーブルテレビ局の局情報をブロードキャストでケーブルテレビ加入者宅へ送信し、Ｃ１−ＳＴＢ５６では、受信したＢケーブルテレビ局の局情報をＣ１−ＳＴＢ５６の局情報記録部等に書き込むことで、Ｃ１−ＳＴＢ５６は、Ｂケーブルテレビ局装置３７からのサービスを受けることができる。
【０１０４】
また、各ケーブルテレビ局装置３２，３７，４２に登録されているＳＴＢ４７，５０，５３，５６のＳＴＢ情報について中央管理装置２６で把握したい場合、中央管理装置２６から各ケーブルテレビ局装置３２，３７，４２にＳＴＢ情報送信要求を出し、ＳＴＢ情報送信要求を受信した各ケーブルテレビ局装置３２，３７，４２は、登録されているＳＴＢ情報を中央管理装置２６に送信する。
【０１０５】
この方法を使えば、仮に、転居前のケーブルテレビ局装置への解約の連絡をし忘れても、中央管理装置２６で、同じＩＤのＳＴＢが２つのケーブルテレビ局装置で登録されていることがわかり、転居前のケーブルテレビ局装置のＳＴＢ台帳から外すことで契約解除することも可能になる。
【０１０６】
また、ＳＴＢ−ＩＤが別々のケーブルテレビ局装置で使用していることがわかれば、ＳＴＢのＩＤの不正使用を防ぐことも可能になる。
【０１０７】
これにより、中央管理装置２６に局情報及びＳＴＢ情報の全てのデータを保存せずとも、中央管理装置２６での管理が容易に行えるものである。
【図面の簡単な説明】
【０１０８】
【図１】本発明の実施例に係るケーブルテレビ管理システムの構成を示すブロック図。
【図２】本発明の実施例に係るケーブルテレビ管理システムにおけるケーブルテレビ管理の流れを説明するフローチャート図。
【図３】本発明の他の実施例に係るケーブルテレビ管理システムの構成を示すブロック図。
【図４】本発明の他の実施例に係るケーブルテレビ管理システムにおけるケーブルテレビ管理の流れを説明するフローチャート図。
【図５】本発明の実施例及び本発明の他の実施例に係り、ケーブルテレビ局装置から送出される局情報／ＳＴＢ情報の一例を示す図である。
【符号の説明】
【０１０９】
１  中央管理装置
２  局情報／ＳＴＢ情報管理部（局情報／ＳＴＢ情報管理部）
３  制御部
４  ＳＴＢ情報送信部（受信端末情報送信手段）
５  局情報送信部（ケーブルテレビ局情報送信手段）
６  ＳＴＢ台帳
７  局台帳
８  Ａケーブルテレビ局装置
９  局情報受信部（ケーブルテレビ局情報受信手段）
１０  制御部
１１  Ｂケーブルテレビ局装置
１２  局情報受信部（ケーブルテレビ局情報受信手段）
１３  制御部
１４  Ｃケーブルテレビ局装置
１５  局情報受信部（ケーブルテレビ局情報受信手段）
１６  制御部
１７  Ａ１−ＳＴＢ（受信端末）
１８  管理情報受信部（管理情報受信手段）
１９  制御部
２０  Ｂ１−ＳＴＢ（受信端末）
２１  管理情報受信部（管理情報受信手段）
２２  制御部
２３  Ｃ１−ＳＴＢ（受信端末）
２４  管理情報受信部（管理情報受信手段）
２５  制御部
２６  中央管理装置
２７  局情報管理部（ケーブルテレビ局情報管理部）
２８  局情報送信部（ケーブルテレビ局情報送信手段）
２９  ＳＴＢ情報受信部（受信端末情報受信手段）
３０  局台帳
３１  制御部
３２  Ａケーブルテレビ局装置
３３  ＳＴＢ情報管理部（受信端末情報管理部）
３４  局情報／ＳＴＢ情報送受信部
３５  ＳＴＢ台帳
３６  制御部
３７  Ｂケーブルテレビ局装置
３８  ＳＴＢ情報管理部（受信端末情報管理部）
３９  局情報／ＳＴＢ情報送受信部
４０  ＳＴＢ台帳
４１  制御部
４２  Ｃケーブルテレビ局装置
４３  ＳＴＢ情報管理部（受信端末情報管理部）
４４  局情報／ＳＴＢ情報送受信部（ケーブルテレビ局情報／受信端末情報送受信手段）
４５  ＳＴＢ台帳
４６  制御部
４７  Ａ１−ＳＴＢ（受信端末）
４８  管理情報受信部
４９  制御部
５０  Ａ２−ＳＴＢ（受信端末）
５１  管理情報受信部
５２  制御部
５３  Ｂ１−ＳＴＢ（受信端末）
５４  管理情報受信部
５５  制御部
５６  Ｃ１−ＳＴＢ（受信端末）
５７  管理情報受信部
５８  制御部
Ｓ  ケーブルテレビ管理システム
【図１】
2006114944.tif 000003
【図２】
2006114944.tif 000004
【図３】
2006114944.tif 000005
【図４】
2006114944.tif 000006
【図５】
2006114944.tif 000007